(57)【要約】【課題】清掃作業を容易に行うことができ、水鉢の外観を良好に保持することができるとともに、衛生管理の向上を図ることができる墓石用水鉢を提供する。【解決手段】お供え用の水を注ぐための水鉢容器２１はステンレス鋼により形成され、墓石１０の前面に配置された水鉢本体１９の上面に凹設された保持凹部２０に挿入、保持されるように構成されている。この水鉢容器２１は有底円筒状に形成されるとともに、その中間部には水鉢容器２１を保持凹部２０に挿入したとき水鉢本体１９の上面１９ａに係合し、かつ水鉢容器２１と保持凹部２０との隙間を覆う鍔部２３が設けられている。前記保持凹部２０の下部には、該保持凹部２０内に溜まった水を水鉢本体１９外へ排出するための排出孔が接続されている。【選択図】図１
0003169345.tif 000002
【実用新案登録請求の範囲】
【請求項１】
墓石の前面に配置される墓石用水鉢であって、
水鉢本体の上面には保持凹部を設け、該保持凹部には水を収容するための水鉢容器を挿入して保持するように構成したことを特徴とする墓石用水鉢。
【請求項２】
前記水鉢容器を有底筒状に形成するとともに、その中間部には水鉢容器を水鉢本体の保持凹部に挿入したとき水鉢本体の上面に係合し、かつ水鉢容器と保持凹部との隙間を覆う鍔部を設けたことを特徴とする請求項１に記載の墓石用水鉢。
【請求項３】
前記水鉢容器の底面と鍔部との間の間隔を、水鉢本体の保持凹部の深さより短くなるように設定したことを特徴とする請求項２に記載の墓石用水鉢。
【請求項４】
前記保持凹部の下部には、該保持凹部内に溜まった水を水鉢本体外へ排出するための排出孔を接続したことを特徴とする請求項１から請求項３のいずれか一項に記載の墓石用水鉢。
【請求項５】
前記水鉢本体の保持凹部を断面円形状に形成するとともに、水鉢容器を金属で有底円筒状に形成することを特徴とする請求項１から請求項４のいずれか一項に記載の墓石用水鉢。 
【考案の詳細な説明】
【技術分野】
【０００１】
本考案は、墓石の前面に設けられ、お供え用の水を収容するための水鉢容器を備えた墓石用水鉢に関するものである。
【背景技術】
【０００２】
墓石（石塔）には和式と洋式があり、御影石（花崗岩）等の石材により製作され、カロート（納骨室）のほか、水鉢、花立、香炉、拝石、灯篭等の墓飾品が配設されている。前記水鉢は墓石の前面に設置され、その水鉢の上面には水入れ用の凹部が形成されている。そして、お盆、お彼岸、命日などにお墓参りをする際、この凹部に水を注ぎ、故人の乾きを癒し、成仏を願うようになっている。
【０００３】
例えば、特許文献１には、水鉢の側面に凹型又は凸型の手懸かり部を設けた墓石が開示されている。この水鉢の上面には凹状の水入れ部が設けられている。また、特許文献２には、墓石用水鉢の中位から下部の位置にローソク及び線香を立てるくぼみを設けた墓石用水鉢が開示されている。この墓石用水鉢の上面にも、凹状に形成された水入れ部が設けられている。
【先行技術文献】
【特許文献】
【０００４】
【特許文献１】特開２００８−１８００５４号公報
【特許文献２】特開２００４−１４３９０８号公報
【考案の概要】
【考案が解決しようとする課題】
【０００５】
ところで、お墓参りの際に墓石用水鉢の水入れ部にお供え用の水を入れてお参りをした後には、水入れ部に水を入れたまま放置されるか、或いは水入れ部の掃除をして水を取り除いたとしても水入れ部に雨水が溜まる。このため、その水入れ部には藻や苔が生えたり、ボウフラが湧いたり、水が腐敗したりして、水入れ部が汚れ、不衛生になるとともに、悪臭が漂うという問題があった。
【０００６】
特許文献１及び２に記載された従来構成の墓石用水鉢では、水入れ部が石材で形成された水鉢の上面を削って形成されていることから、水入れ部が藻や苔の生成、ボウフラの発生、水の腐敗等で黒く汚れたとき、その汚れが石材に染み込んで簡単には取れなくなる。このため、水鉢を外して水入れ部の汚れを薬品で洗浄しないとその汚れが取れなかった。また、水鉢をそのままにして洗浄すると、汚れが墓石の隙間に入り込んでしまうという問題があった。加えて、水入れ部は水鉢と一体的に形成されているため、バケツに水を入れて墓石前面まで運び、そこで清掃作業を行わなければならず、作業性が悪いという問題があった。
【０００７】
本考案は、以上のような従来技術に存在する問題点に着目してなされたものであって、その目的とするところは、清掃作業を容易に行うことができ、水鉢の外観を良好に保持することができるとともに、衛生管理の向上を図ることができる墓石用水鉢を提供することにある。
【課題を解決するための手段】
【０００８】
上記の目的を達成するために、請求項１に係る考案の墓石用水鉢は、墓石の前面に配置される墓石用水鉢であって、水鉢本体の上面には保持凹部を設け、該保持凹部には水を収容するための水鉢容器を挿入して保持するように構成したことを特徴とする。
【０００９】
請求項２に記載の墓石用水鉢は、請求項１に係る考案において、前記水鉢容器を有底筒状に形成するとともに、その中間部には水鉢容器を水鉢本体の保持凹部に挿入したとき水鉢本体の上面に係合し、かつ水鉢容器と保持凹部との隙間を覆う鍔部を設けたことを特徴とする。
【００１０】
請求項３に記載の墓石用水鉢は、請求項２に係る考案において、前記水鉢容器の底面と鍔部との間の間隔を、水鉢本体の保持凹部の深さより短くなるように設定したことを特徴とする。
【００１１】
請求項４に記載の墓石用水鉢は、請求項１から請求項３のいずれか一項に係る考案において、前記保持凹部の下部には、該保持凹部内に溜まった水を水鉢本体外へ排出するための排出孔を接続したことを特徴とする。
【００１２】
請求項５に記載の墓石用水鉢は、請求項１から請求項４のいずれか一項に係る考案において、前記水鉢本体の保持凹部を断面円形状に形成するとともに、水鉢容器を金属で有底円筒状に形成することを特徴とする。
【考案の効果】
【００１３】
本考案によれば、以下のような効果を発揮することができる。
請求項１に係る墓石用水鉢では、水鉢本体の上面には保持凹部を設け、該保持凹部には水を収容するための水鉢容器を挿入して保持するように構成されている。このため、墓石用水鉢の清掃作業を行う場合には、水の入った水鉢容器を水鉢本体の保持凹部から取り出し、水鉢容器を掃除することができる。このとき、水鉢容器は水鉢本体から移動させることができることから、水鉢容器を例えば洗い場まで持っていき、そこで綺麗に掃除することができる。従って、水鉢容器を簡単に清潔にすることができ、衛生状態を良好にすることができる。
【００１４】
よって、本考案の墓石用水鉢によれば、清掃作業を容易に行うことができ、水鉢の外観を良好に保持することができるとともに、衛生管理の向上を図ることができるという効果を奏する。
【図面の簡単な説明】
【００１５】
【図１】本考案の第１実施形態における墓石用水鉢を有する和式の墓石を示す斜視図。
【図２】（ａ）は墓石用水鉢を示す平面図、（ｂ）は墓石用水鉢を示す正面図及び（ｃ）は墓石用水鉢を示す側面図。
【図３】（ａ）は水鉢容器を示す斜視図、（ｂ）は水鉢容器を示す断面図。
【図４】本考案の第２実施形態における墓石用水鉢を有する洋式の墓石を示す斜視図。
【図５】（ａ）は墓石用水鉢を示す平面図、（ｂ）は墓石用水鉢を示す正面図及び（ｃ）は墓石用水鉢を示す側面図。
【図６】墓石用水鉢を示す斜視図。
【図７】墓石用水鉢の水鉢容器の別例を示す斜視図。
【考案を実施するための形態】
【００１６】
（第１実施形態）
以下、本考案の墓石用水鉢を具体化した第１実施形態を図１〜図３に従って詳細に説明する。
【００１７】
この第１実施形態では、和式の墓石に設けられる墓石用水鉢について説明する。図１に示すように、墓石１０は御影石、大理石等の石材により形成され、芝台１１上に、下台１２、中台１３及び上台１４が積み上げられ、その上に縦長の棹石（石碑）１５が支持されて構成されている。下台１２上の前面中央には蝋燭や線香を立てる香炉ボックス１６が載置され、その両側には一対の花立て１７が配置されている。上記棹石１５の前面には、図示しない「○○家之墓」、「先祖代々之墓」等の文字が刻まれる。
【００１８】
前記中台１３上の前面中央には、横長直方体状に形成された墓石用水鉢１８が載置されている。この墓石用水鉢１８を構成する水鉢本体１９の上面１９ａには保持凹部２０が設けられ、該保持凹部２０には水を収容するための水鉢容器２１が挿入されて保持されるように構成されている。
【００１９】
図２（ａ）〜（ｃ）に示すように、前記墓石用水鉢１８の保持凹部２０は断面円形状に形成され、有底円筒状に形成された水鉢容器２１が収容されるようになっている。該保持凹部２０の下部には、保持凹部２０内に溜まった水を水鉢本体１９外へ排出するための円孔状の排出孔２２が接続されている。この排出孔２２は保持凹部２０の底面２０ａより低い位置に設定され、墓石用水鉢１８の後方へ延び、墓石用水鉢１８の背面で開口されている。そのため、保持凹部２０内に溜まった雨水などがこの排出孔２２を通って外部へ排出されるようになっている。
【００２０】
図３（ａ）及び（ｂ）に示すように、前記水鉢容器２１はステンレス鋼等の金属により有底円筒状に形成されるとともに、その中間部には水鉢容器２１を水鉢本体１９の保持凹部２０に挿入したとき水鉢本体１９の上面１９ａに係合する円環状の鍔部２３が溶接により接合されている。この鍔部２３により、水鉢容器２１が水鉢本体１９の上面１９ａ上に安定して支持されるとともに、保持凹部２０内への雨水等の浸入を抑制することができる。なお、水鉢容器２１の上縁部２１ａは外方へ広がるように断面円弧状に湾曲形成されて水鉢容器２１を把持しやすい構造となっており、水鉢容器２１内への水の注入と水鉢容器２１内からの水の取出しを円滑に行うことができるように構成されている。
【００２１】
図３（ｂ）に示すように、前記水鉢容器２１の底面２１ｂと鍔部２３との間の間隔Ｄは、水鉢本体１９の保持凹部２０の深さＬより短くなるように設定され、水鉢容器２１の底面２１ｂが水鉢本体１９の保持凹部２０の底面２０ａに接触しないようになっている。すなわち、水鉢容器２１はその鍔部２３が水鉢本体１９の上面１９ａに密接し、安定した状態で支持されるように構成されている。また、保持凹部２０の深さＬは十分な深さを有するとともに、前記水鉢容器２１の間隔Ｄが十分な長さを有していることから、水鉢容器２１は保持凹部２０内に安定した状態で保持されるようになっている。
【００２２】
次に、以上のように構成された第１実施形態の墓石用水鉢１８について作用を説明する。
さて、お盆などにお墓参りをするときには、香炉ボックス１６内で蝋燭や線香を立て、花立て１７に花を立てるとともに、墓石用水鉢１８の保持凹部２０に保持された水鉢容器２１に水を注ぐ。このとき、水鉢容器２１は保持凹部２０から取り出すことができることから、取り出した水鉢容器２１を洗い場等で綺麗に洗ったり、拭いたりしてからその中に所要量の水を注ぐことができる。そして、水が収容された水鉢容器２１を再び水鉢本体１９の保持凹部２０に挿入して保持することができる。従って、従来構成の水鉢上に凹設された水入れ部をその場で擦って綺麗にしてから水を注ぐという従来の態様に比べて、水鉢容器２１を容易かつ速やかに掃除して水を収容することができる。
【００２３】
また、水鉢容器２１を保持凹部２０に挿入したとき、水鉢容器２１の底面２１ｂと鍔部２３との間の間隔Ｄが保持凹部２０の深さＬより短くなるように規定されているため、水鉢容器２１の鍔部２３が水鉢本体１９の平坦な上面１９ａに密接する。従って、水鉢容器２１が傾いたり、浮き上がったりすることなく、安定して保持されるとともに、鍔部２３が水鉢本体１９の上面１９ａに密着して保持凹部２０と水鉢容器２１との間の隙間を塞いでいることから、保持凹部２０内への水の浸入が抑えられる。
【００２４】
以上の第１実施形態によって発揮される効果について、以下にまとめて記載する。
（１）この第１実施形態の墓石用水鉢１８では、水鉢本体１９の上面１９ａに形成された保持凹部２０には水を収容する水鉢容器２１を挿入して保持するように構成されている。このため、墓石用水鉢１８の清掃作業を行う場合には、水の入った水鉢容器２１を水鉢本体１９の保持凹部２０から取り出して移動させ、綺麗に掃除することができる。従って、水をお供えする水鉢容器２１を短時間で簡単に清潔にすることができ、衛生状態を良好にすることができる。
【００２５】
よって、本考案の墓石用水鉢１８によれば、清掃作業を容易に行うことができ、水鉢の外観を良好に保持することができるとともに、衛生管理の向上を図ることができるという効果を奏する。
（２）前記水鉢容器２１は有底円筒状に形成されるとともに、その中間部には水鉢容器２１を水鉢本体１９の保持凹部２０に挿入したとき水鉢本体１９の上面１９ａに係合し、かつ水鉢容器２１と保持凹部２０との隙間を覆う鍔部２３が設けられている。従って、水鉢容器２１を水鉢本体１９の上面１９ａに安定した状態で支持することができるとともに、保持凹部２０内に雨水等が入り込むことを抑制することができる。
（３）前記水鉢容器２１の底面２１ｂと鍔部２３との間の間隔Ｄは、水鉢本体１９の保持凹部２０の深さＬより短くなるように設定されている。そのため、水鉢容器２１を保持凹部２０内に挿入したとき、水鉢容器２１を鍔部２３にて安定状態で支持することができる。
（４）前記保持凹部２０の下部には排出孔２２が接続されている。このため、仮に保持凹部２０内へ雨水等が入り込んだとしても、保持凹部２０内の水を排出孔２２から水鉢本体１９の外部へ常時排出させることができる。
（５）前記水鉢本体１９の保持凹部２０は断面円形状に形成されるとともに、水鉢容器２１はステンレス鋼で有底円筒状に形成されている。このため、水鉢容器２１及び保持凹部２０の構成を簡易にして容易に成形することができるとともに、水鉢容器２１の洗浄を簡単に行うことができる。
（第２実施形態）
次に、本考案の墓石用水鉢を具体化した第２実施形態を図４〜図６に従って詳細に説明する。なお、この第２実施形態では前記第１実施形態と異なる部分について主に説明する。
【００２６】
この第２実施形態では、洋式の墓石１０に設けられる墓石用水鉢１８について説明する。図４に示すように、洋式の墓石１０を構成する芝台１１上には下台１２が支持され、その下台１２上の前面側には敷石２４が配置されている。この敷石２４上の中央部には蝋燭や線香を立てる香炉ボックス１６が配置され、その両側には一対の花立て１７が配置されている。下台１２上の後部には図６に示す墓石用水鉢１８が載置され、その墓石用水鉢１８上の前側中央部には保持凹部２０が設けられ、水鉢容器２１が収容されるようになっている。墓石用水鉢１８上の後部側には横長の棹石１５が載置されている。
【００２７】
図５（ａ）〜（ｃ）及び図６に示すように、前記墓石用水鉢１８の保持凹部２０は断面円形状に形成され、有底円筒状をなす水鉢容器２１が収容されるようになっている。水鉢容器２１の鍔部２３は、水鉢容器２１が保持凹部２０に挿入されたとき水鉢本体１９の上面１９ａに係合するようになっている。保持凹部２０の下部には水鉢本体１９の前面に開口されている排出孔２２が接続されている。
【００２８】
さて、お墓参りをするときには、香炉ボックス１６内で蝋燭や線香を立て、花立て１７に花を立てると同時に、墓石用水鉢１８の保持凹部２０に保持された水鉢容器２１に水を注ぐ。このとき、水鉢容器２１を保持凹部２０から取り出して洗い場で綺麗に洗ったり、拭いたりしてからその中に所要量の水を注ぎ、その水鉢容器２１を再び水鉢本体１９の保持凹部２０に挿入することができる。従って、水鉢容器２１を容易かつ迅速に掃除して水を収容することができる。
【００２９】
よって、この第２実施形態によれば、前記第１実施形態の（１）〜（５）と同様の効果を発揮することができる。
なお、前記各実施形態は、次のように変更して具体化することも可能である。
【００３０】
・  図７に示すように、水鉢容器２１の鍔部２３を外周側ほど下降する断面円弧状に湾曲形成するとともに、鍔部２３の上面２３ａに蓮の花柄の模様２５を刻設することもできる。このように構成した場合、水鉢容器２１の外観を向上させることができる。
【００３１】
・  前記水鉢本体１９を、壺状、立方体状、四角錐台状、逆四角錐台状等の形状に形成することができる。
・  前記水鉢容器２１を、アルミニウム、銅合金等の金属で形成したり、御影石、大理石等の石材で形成したりすることも可能である。この場合、水鉢容器２１を水鉢本体１９の材料と同一の材料で形成し、一体的な外観を得るように構成することもできる。
【００３２】
・  前記水鉢容器２１を、四角筒状、六角筒状等の多角筒状、楕円筒状などの形状に構成することもできる。
・  前記水鉢容器２１に指を掛ける把持部を設け、水鉢本体１９の保持凹部２０への水鉢容器２１の出し入れをその把持部を把持することによって容易に行うことができるように構成することができる。
【００３３】
・  前記水鉢容器２１の鍔部２３より上の外周面に蓮の花柄等の模様を付すこともできる。
【符号の説明】
【００３４】
１０…墓石、１８…墓石用水鉢、１９…水鉢本体、１９ａ…上面、２０…保持凹部、２１…水鉢容器、２１ａ…底面、２２…排出孔、２３…鍔部、Ｄ…間隔、Ｌ…深さ。
【図１】
0003169345.tif 000003
【図２】
0003169345.tif 000004
【図３】
0003169345.tif 000005
【図４】
0003169345.tif 000006
【図５】
0003169345.tif 000007
【図６】
0003169345.tif 000008
【図７】
0003169345.tif 000009